(57)【要約】【課題】保温具を腹部又は背部の胃や小腸に対応する箇所に保持する下衣を提供すること。【解決手段】下衣１は、下腹部及び臀部を覆う本体２、本体２のウエスト部２ａから延伸する支持部材４、及び支持部材４により支持される袋体５を備える。本体２により下腹部及び臀部を覆って下衣１を着衣することで、本体２のウエスト部２ａから延伸する支持部材４により支持される袋体５にカイロを入れて腹部又は背部の胃や小腸に対応する箇所に保持することができる。【選択図】図１
2018184677.tif 000002
【特許請求の範囲】
【請求項１】
保温具を腹部又は背部に保持する下衣であって、
下腹部及び臀部を覆う本体と、
前記本体のウエスト部から延伸する支持部材と、
前記支持部材により支持される袋体と、
を備えることを特徴とする、下衣。
【請求項２】
前記支持部材は、前記本体のウエスト部に互いに離間して固定される２つの棒状部材を有し、
前記袋体は、前記２つの棒状部材の間に設けられることを特徴とする、請求項１に記載の下衣。
【請求項３】
前記支持部材は、前記本体の正面側に設けられることを特徴とする、請求項１又は２に記載の下衣。
【請求項４】
前記支持部材は、前記本体の背面側に設けられることを特徴とする、請求項１〜３に記載の下衣。
【請求項５】
前記本体は、前記ウエスト部に弾性紐体を有することを特徴とする、請求項１〜４のいずれか１項に記載の下衣。
【請求項６】
前記本体は、前記ウエスト部のうちの前記支持部材が設けられる部分以外の箇所に前記ウエスト部を広げる開閉部を有することを特徴とする、請求項１〜４のいずれか一項に記載の下衣。
【発明の詳細な説明】
【技術分野】
【０００１】
本発明は、保温具を腹部又は背部に保持する下衣に関する。
【背景技術】
【０００２】
胃や小腸を温めると免疫力が高まることが知られている。そこで、ボトムス等の下衣（本明細書では、ズボン、スカート、ブリーフパンツ、その他下半身に着用する衣類全般を「下衣」と言う。）にポケットを設けて、これにカイロを入れて患部を温めることが考えられる（例えば、特許文献１参照）。しかし、胃や小腸は下衣のウエスト部より上にあるため、下衣に設けた袋にカイロを入れても温めることができない。腹巻の内側に袋を設け、これにカイロを入れて患部を温めることも考えられる。しかし、腹巻により腹部が圧迫されてしまう。
【先行技術文献】
【特許文献】
【０００３】
【特許文献１】実登３１１４３９６号公報
【発明の概要】
【発明が解決しようとする課題】
【０００４】
本発明は、保温具を腹部又は背部の胃や小腸に対応する箇所に保持する下衣を提供することを課題とする。
【課題を解決するための手段】
【０００５】
本発明の下衣は、
保温具を腹部又は背部に保持する下衣であって、
下腹部及び臀部を覆う本体と、
前記本体のウエスト部から延伸する支持部材と、
前記支持部材により支持される袋体と、
を備えることを特徴とする。
【０００６】
これによれば、本体により下腹部及び臀部を覆って下衣を着衣することで、本体のウエスト部分から延伸する支持部材により支持される袋体に保温具を入れて、腹部又は背部のウエストよりも上に保持することができる。
【０００７】
本発明の下衣は、
前記支持部材は、前記本体のウエスト部に互いに離間して固定される２つの棒状部材を有し、
前記袋体は、前記２つの棒状部材の間に設けられることを特徴とする。
【０００８】
これによれば、袋体が本体のウエスト部に互いに離間して固定される２つの棒状部材の間に設けられることで、保温具を収容する袋体を広げて腹部又は背部上に当接することができる。
【０００９】
本発明の下衣は、
前記支持部材は、前記本体の正面側に設けられることを特徴とする。
【００１０】
これによれば、支持部材が本体の正面側に保持されることで、その支持部材により支持される袋体に保温具を収容して腹部に保持することができる。
【００１１】
本発明の下衣は、
前記支持部材は、前記本体の背面側に設けられることを特徴とする。
【００１２】
これによれば、支持部材が本体の背面側に保持されることで、その支持部材により支持される袋体に保温具を収容して背部に保持することができる。
【００１３】
本発明の下衣は、
前記本体は、前記ウエスト部に弾性紐体を有することを特徴とする。
【００１４】
これによれば、本体がウエスト部に弾性紐体を有することで、支持部材の設けられたウエスト部分を広げることなく下衣を着脱することができる。
【００１５】
本発明の下衣は、
前記本体は、前記ウエスト部のうちの前記支持部材が設けられる部分以外の箇所に前記ウエスト部を広げる開閉部を有することを特徴とする。
【００１６】
これによれば、本体がウエスト部のうちの支持部材が設けられている部分外にウエスト部を広げる開閉部を有することで、支持部材の設けられたウエスト部分を広げることなく下衣を着脱することができる。
【発明の効果】
【００１７】
本発明の下衣によれば、保温具を腹部又は背部の胃や小腸に対応する箇所に保持する下衣を提供することが可能となる。
【図面の簡単な説明】
【００１８】
【図１】図１は、下衣の構成を示す図である。（実施例１）
【図２】図２は、下衣の構成を示す図である。（実施例２）
【図３】図３は、下衣の構成を示す図である。（実施例３）
【図４】図４は、下衣の構成を示す図である。（実施例４）
【発明を実施するための形態】
【００１９】
以下、本発明の実施例について説明する。
【実施例１】
【００２０】
図１に、下衣１の構成を示す。ここでは、下衣１は、一例として長ズボンとする。ただし、これに限らず、パンツ（ズボン）、ショートパンツ、スカート等のボトムス、アンダーパンツ等の下着等、その他任意の下衣であってよい（後述の実施例２，３でも同様）。下衣１は、本体２、脚部３、支持部材４、及び袋体５を備える。
【００２１】
本体２は、下腹部及び臀部を覆う下衣１の本体部分であり、任意の生地を用いて上側に１つの大きな開口、下側に２つの小さな開口を有する形状に成形されている。本体２は、ウエスト部２ａ及びポケット２ｂを有する。
【００２２】
ウエスト部２ａは、本体２の上端に設けられた帯状の部分であり、ウエスト部２ａに沿って弾性紐体の一例であるゴム紐が通されている。それにより、後述する支持部材の設けられたウエスト部の前側を広げることなく、上側の開口を広げて下衣１を着脱することができる。
【００２３】
ポケット２ｂは、本体２の左右に設けられた開口から内側に拡がる袋体である。
【００２４】
脚部３は、脚を覆う部分であり、本体２と同じ生地を用いて筒状に、上端を本体２と一体的に接続して成形される。
【００２５】
支持部材４は、袋体５を支持する部材であり、本体２のウエスト部２ａから上側に延伸する。支持部材４は、金属製の針金、木製又はプラスチック製の棒等の２つの棒状部材を含む。棒状部材は、それぞれの基端４ａを本体２のウエスト部２ａの正面側に互いに離間して刺し入れることで固定されている。なお、支持部材４は、２つの棒状部材を含むものに限定されず、他の形態であってもよい。例えば、可撓性を有する板体を支持部材４として用いることができる。
【００２６】
袋体５は、カイロを収容する袋であり、一例として、任意の生地を用いて縦方向の中央に横方向に拡がる開口５ａを設けて矩形状に成形される。袋体５は、２つの棒状部材４の先端に両側部を固定することでそれらの間に支持される。カイロは開口５ａを広げ、これを介して袋体５から出し入れすることができる。それにより、カイロを収容する袋体５を横方向に広げてその一面を腹部に当接することができる。
【００２７】
以上詳細に説明したように、下衣１は、下腹部及び臀部を覆う本体２、本体２のウエスト部２ａから延伸する支持部材４、及び支持部材４により支持される袋体５を備える。本体２により下腹部及び臀部を覆って下衣１を着衣することで、本体２のウエスト部２ａから延伸する支持部材４により支持される袋体５にカイロを入れて腹部上に保持することができる。
【実施例２】
【００２８】
図２に、下衣１１の構成を示す。下衣１１は、本体２、脚部３、支持部材４、及び袋体５を備える。これらの構成各部は、それぞれ、先述の下衣１におけるそれらと同様に構成されている。ただし、２つの棒状部材４は、それぞれの基端４ａを本体２のウエスト部２ａの背面側に互いに離間して刺し入れることで固定されている。それにより、カイロを収容する袋体５を横方向に広げてその一面を背部に当接することができる。
【００２９】
なお、下衣１は、ウエスト部２ａにゴム紐を通すこととしたが、これに代えて、ウエスト部２ａにベルトを通すベルト紐を配設し、本体２の正面にファスナを設けてもよい。
【実施例３】
【００３０】
図３に、下衣２１の構成を示す。下衣２１は、本体２、脚部３、支持部材４、及び袋体５を備える。
【００３１】
本体２は、先述のそれとほぼ同様に構成されている。ただし、本体２のウエスト部２ａには、ベルトを通す複数のベルト紐２ａ０が配設され、本体２の正面にウエスト部２ａから下方にウエスト部２ａを広げるファスナ２ｃが設けられ、ウエスト部２ａの一端にボタン２ｄが設けられている。ファスナ２ｃを降ろしてウエスト部２ａを広げ、ファスナ２ｃを上げてボタン２ｄを用いてウエスト部２ａを閉じることで、下衣１を着衣することができる。
【００３２】
支持部材４は、第１の変形例に係る下衣１１におけるそれと同様に、２つの棒状部材を含み、それらの基端４ａを本体２のウエスト部２ａの背面側に互いに離間して刺し入れることで固定されている。
【００３３】
袋体５は、実施例２の下衣１１におけるそれと同様に、２つの棒状部材４の先端に両側部を固定することでそれらの間に支持される。それにより、カイロを収容する袋体５を横方向に広げてその一面を背部に当接することができる。
【００３４】
その他の構成各部は、実施例１の下衣１におけるそれらと同様に構成されている。
【００３５】
本実施例の下衣２１によれば、本体２がウエスト部２ａのうちの支持部材４が設けられている部分外にウエスト部２ａを広げるファスナ２ｃを有することで、支持部材４の設けられたウエスト部２ａを広げることなく下衣１を着脱することができる。
【００３６】
支持部材４の設けられたウエスト部２ａを広げるためには、ポケット２ｂも広げなければならない。ポケット２ｂを伸縮可能な素材で形成しない限り、これが困難である。支持部材４の設けられたウエスト部２ａを広げることなく下衣１を着脱することができることが好ましい。
【００３７】
なお、本体２のウエスト部２ａを広げるためにファスナ２ｃを設けるに限らず、本体２のウエスト部２ａから下方にスリットを設け、複数のボタンによりスリットの両辺を閉じるなど、任意の開閉部を設けてよい。
【００３８】
なお、ファスナ２ｃは、正面に限らず、ウエスト部２ａのうちの支持部材４が設けられている部分外であれば例えば側方など任意の位置に設けてよい。
【００３９】
ファスナ２ｃを側面や背面に設けることで、支持部材４を正面に設けて腹部を温めることができる。特に下衣がスカートである場合には、ファスナ２ｃが側面や背面に設けられているものが多い。
【実施例４】
【００４０】
図４に、下衣３１の構成を示す。下衣３１は、本体２、脚部３、支持部材４、袋体５、及び延長部６を備える。
【００４１】
本体２のウエスト部２ａから上方に向けて延長部６が設けられている。延長部６は、胴体を一周し、本体２がウエスト部２ａを超えて上方に延長された形態である。延長部６を本体２と一体に成形してもよい。
【００４２】
延長部６に支持部材４が入れられ、２の支持部材４の間に袋体５が設けられている。これにより、外観上、袋体５がウエスト部２ａから上方に突起して見える印象が小さく、自然なものとなる。
【００４３】
なお、延長部６がウエスト部２ａに垂下しないよう、延長部６の上縁にゴム紐を通してもよい。また、３以上の支持部材４（図に示した２の支持部材４の他に側部や背部に設けられた支持部材４を含む）によって延長部６を支持してもよい。
【産業上の利用可能性】
【００４４】
保温具を腹部又は背部の胃や小腸に対応する箇所に保持する下衣である。多くの個人による利用が考えられる。
【符号の説明】
【００４５】
１      下衣
２ａ    ウエスト部
２      本体
２ａ    ウエスト部
２ａ０   ベルト紐
２ｂ    ポケット
２ｃ    ファスナ
２ｄ    ボタン
３      脚部
４      支持部材（棒状部材）
４ａ    基端
５      袋体
５ａ    開口
６      延長部
１１    下衣
２１    下衣
３１    下衣
【図１】
2018184677.tif 000003
【図２】
2018184677.tif 000004
【図３】
2018184677.tif 000005
【図４】
2018184677.tif 000006